(57)【要約】本発明は、インターネット・テレフォニーのための電子携帯通信端末に関する。本発明は、第１の電気信号に基づいてサウンドを再生し、第２の電気信号をもたらすサウンドを記録するように構成されたオーディオ手段と、前記第２の電気信号を、適切なデータ形式の、送信するためのサウンドを表す送信データに変換し、前記適切なデータ形式の、受信したサウンドを表す受信データを前記第１の電気信号に変換するように構成された変換手段と、ネットワークおよび／またはインターネットへの接続を確立するように構成された接続ユニットを有する、前記受信データおよび送信データの無線近距離通信のための無線通信手段とを備え、前記端末は、前記無線近距離通信に関してＴＣＰ／ＩＰプロトコルに従って前記受信データおよび送信データの通信を扱い／制御するように構成されたプロトコル手段をさらに含む。これは、ネットワークおよび／またはインターネットをデジタル化された音声、サウンド等の転送に関して可能にする通信端末を実現し、これによって多大な経済的節約が達成される。また、特別な設備および機能を全く必要とせずにネットワークおよび／またはインターネットとの無線通信／結合に関する柔軟性も高められる。本発明は、さらにインターネット・テレフォニーのためのシステムおよび方法、ならびにその方法をコンピュータに実行させるプログラムを有するコンピュータ可読媒体に関する。
2004507979.tif 000002
【特許請求の範囲】
【請求項１】
インターネット／ネットワーク・テレフォニーのための電子携帯通信端末（１００、２００、４００、５００）において、
・第１の電気信号に基づいてサウンドを再生し、第２の電気信号となるサウンドを記録するように構成されたオーディオ手段（１０１）、
・前記第２の電気信号を、適切なデータ形式でサウンドを表す送信データに変換し、前記適切なデータ形式で受信したサウンドを表す受信データを前記第１の電気信号に変換するように構成された変換手段（１０２）、
・ＴＣＰ／ＩＰなどの標準的なインターネット／ネットワーク・プロトコルに従って前記受信データおよび送信データの通信を扱い、制御するように構成されたプロトコル手段（１０３）であって、それによって前記送信データおよび受信データを前記標準的なインターネット／ネットワーク・プロトコルに従ってそれぞれデータ・パケット形式に埋め込み、データ・パケット形式から抽出するプロトコル手段（１０３）
を備える端末であって、さらに
無線データ形式で前記受信データおよび／または送信データを無線近距離通信するための無線通信手段（１０４）であって、前記標準的なインターネット／ネットワーク・プロトコルに従ってネットワークおよび／またはインターネット（２２０）への接続を確立するように構成された接続ユニット（２０３、２０３’）を有する無線通信手段を備え、
前記無線通信手段（１０４）が、前記データ・パケット形式のパケットを前記無線データ形式に埋め込み、あるいは前記無線データ形式から抽出するように構成されていることを特徴とする端末。
【請求項２】
前記端末が、付加的な情報および／またはデータを前記接続ユニットに伝えるように構成されており、前記付加的な情報および／またはデータは、
・通信受信機のＩＰアドレス
・通信送信機／前記端末のＩＰアドレス
・少なくとも１つの接続ユニットのＩＰアドレス
・サービス・サーバのＩＰアドレス
・ＴＣＰ／ＩＰパケット
・音声メール
・コマーシャル
・音楽
・市況および経済ニュース
・チャット・ライン
・チャット・ルーム
・電話会議
の１つまたは複数を含むことを特徴とする請求項１に記載の端末。
【請求項３】
前記端末が、前記接続ユニットを介して前記サーバへの接続を確立するように構成されている端末であって、それにより、所望の通信受信機に関する情報が前記ネットワークおよび／またはインターネット上のサービス・サーバに転送可能となり、前記サーバが、前記所望の通信受信機のＩＰアドレスに関する情報を伝え、かつ／または前記所望の通信受信機と通信送信機／前記端末との間の直接接続を確立するように構成されていることを特徴とする請求項１乃至２に記載の端末。
【請求項４】
前記端末が、１つまたは複数のコマンドを識別するために、記録するための前記サウンドおよび／または前記送信データを解析し、解釈するように構成された音声認識手段をさらに備えることを特徴とする請求項１乃至３のいずれか１項に記載の端末。
【請求項５】
近距離通信用の前記通信手段が、
・Ｂｌｕｅｔｏｏｔｈ等のＲＦ通信プロトコル
・赤外線通信プロトコル、または
・別の無線通信プロトコル
の１つまたは複数の形式で通信するように構成されていることを特徴とする請求項１乃至４のいずれか１項に記載の端末。
【請求項６】
前記適切なデータ形式が圧縮データ形式であることを特徴とする請求項１乃至５のいずれか１項に記載の端末。
【請求項７】
前記端末が、前記記録するためのサウンドをユーザの頬骨および耳道の軟組織を介して取り込む手段を備えるイヤー・テレフォンであることを特徴とする請求項１乃至６のいずれか１項に記載の端末。
【請求項８】
前記端末が、
・変換手段（１０２）、無線通信手段（１０４）、およびプロトコル手段（１０３）を備える筺体（５０２）、
・前記第１の電気信号に基づいてサウンドを再生するための手段を備える、前記筺体（５０２）に固定されたイヤーピース（５０３）、
・一端で前記筺体（５０２）に固定され、かつ他端に配置された第２の電気信号の形式で送信するためのサウンドを取り込むためのサウンド捕捉ユニット（５０５）に固定されたブレース（５０４）
を備えるヘッドセットであることを特徴とする請求項１乃至６のいずれか１項に記載の端末。
【請求項９】
インターネット／ネットワーク・テレフォニーのためのシステムにおいて、
・請求項１乃至８のいずれか１項に記載の携帯通信端末、
・ネットワークおよび／またはインターネットへの接続を確立するように構成された接続ユニット、
・インターネットおよび／またはネットワークに接続されているサービス・サーバであって、前記サービス・サーバは潜在的に所望の通信受信機および／または送信機に関する情報を含んでいる１つまたは複数のデータベースを備え、前記サービス・サーバは、所望の通信受信機のＩＰアドレスに関する情報を伝え、かつ／または前記所望の通信受信機と通信送信機／前記端末との間で直接接続を確立するように構成されたサービス・サーバと
を備えることを特徴とするシステム。
【請求項１０】
前記システムが、１つまたは複数のコマンドを識別するためにサウンドを表すデータを解析し解釈するように構成された音声認識手段をさらに備えることを特徴とする請求項９に記載のシステム。
【請求項１１】
インターネット／ネットワーク・テレフォニーのための方法において、
・第１の電気信号に基づいてサウンドを再生し、かつ第２の電気信号となるサウンドを記録するステップ、
・前記第２の電気信号を、適切なデータ形式で、サウンドを表す送信データに変換し、前記適切なデータ形式で受信したサウンドを表す受信データを前記第１の電気信号に変換するステップ、
・ＴＣＰ／ＩＰなどの標準的なインターネット／ネットワーク・プロトコルに従って前記受信データおよび送信データによる通信を扱い／制御し、前記標準的なインターネット／ネットワーク・プロトコルに従って前記送信データおよび受信データをそれぞれデータ・パケット形式に埋め込み、またデータ・パケット形式から抽出するステップ、
を含む方法であって、さらに、
・無線データ形式の前記受信データおよび／または送信データの無線近距離通信であって、前記標準的なインターネット／ネットワーク・プロトコルに従ってネットワークおよび／またはインターネットへの接続を確立するように構成された接続ユニットを有する無線近距離通信、
・前記データ・パケット形式のパケットを前記無線データ形式に埋め込み、前記無線データ形式から抽出するステップ
を含むことを特徴とする方法。
【請求項１２】
前記方法は、付加的な情報および／またはデータを前記接続ユニットに伝える方法であって、付加的な情報および／またはデータは、
・通信受信機のＩＰアドレス
・通信送信機／前記端末のＩＰアドレス
・少なくとも１つの接続ユニットのＩＰアドレス
・サービス・サーバのＩＰアドレス
・ＴＣＰ／ＩＰパケット
・音声メール
・コマーシャル
・音楽
・市況および経済ニュース
・チャット・ライン
・チャット・ルーム
・電話会議
の１つまたは複数を含むことを特徴とする請求項１１に記載の方法。
【請求項１３】
前記方法は、前記接続ユニットを介して前記サーバへの接続を確立する方法であって、それにより、所望の通信受信機に関する情報が前記ネットワークおよび／またはインターネット上のサービス・サーバに転送可能となり、前記サーバが、前記所望の通信受信機のＩＰアドレスに関する情報を伝え、かつ／または前記所望の通信受信機と通信送信機／前記端末との間の直接接続を確立するように構成されていることを特徴とする請求項１１乃至１２に記載の方法。
【請求項１４】
１つまたは複数のコマンドを識別するために、記録するための前記サウンドおよび／または前記送信データを解析し、解釈するための音声認識をさらに含むことを特徴とする請求項１１乃至１３のいずれか１項に記載の方法。
【請求項１５】
近距離通信用前記通信手段が、
・Ｂｌｕｅｔｏｏｔｈ等のＲＦ通信プロトコル
・赤外線通信プロトコル、または
・別の無線通信プロトコル
の１つまたは複数の形式で通信することを特徴とする請求項１１乃至１４のいずれか１項に記載の方法。
【請求項１６】
前記適切なデータ形式は圧縮データ形式であることを特徴とする請求項１１乃至１５のいずれか１項に記載の方法。
【請求項１７】
前記方法が、前記記録するためのサウンドをユーザの頬骨および耳道の軟組織を介して取り込む手段を備えるイヤー・テレフォンで使用されることを特徴とする請求項１１乃至１６のいずれか１項に記載の方法。
【請求項１８】
前記方法が、
・変換手段、無線通信手段、およびプロトコル手段を備える筺体、
・前記第１の電気信号に基づいてサウンドを再生するための手段を備える、前記筺体に固定されたイヤーピース、
・一端で前記筺体に固定され、かつ他端に配置された第２の電気信号の形式で送信するためのサウンドを取り込むためのサウンド捕捉ユニットに固定されたブレース
を備えるヘッドセットで使用されることを特徴とする請求項１１乃至１６のいずれか１項に記載の方法。
【請求項１９】
プログラムが書き込まれたコンピュータ可読媒体であって、前記プログラムは、実行されると、請求項１１乃至１８のいずれか１項に記載の方法を１つまたは複数のコンピュータまたはＣＰＵに実行させるコンピュータ可読媒体。
【発明の詳細な説明】
【０００１】
本発明は、インターネット／ネットワーク・テレフォニーのための電子携帯通信端末に関する。
本発明は、インターネット／ネットワーク・テレフォニーのためのシステムおよびその方法にも関する。
本発明は、さらに、本発明の方法を１つまたは複数のコンピュータまたはＣＰＵで実行させることができるプログラムを含んでいるコンピュータ可読媒体にも関する。
【０００２】
インターネットを介したテレフォニー（ＩＰテレフォニー）は、特に長距離の場合には通常の電話通信に取って代わる非常に低コストの代替物である。このようなシステムは音声情報を適切なデジタル形式に、また適切なデジタル形式から音声情報に変換する。このデジタル形式はインターネット自体を介して転送されるデータ・パケットに分割されるが、インターネットを介した実際の転送は、通常は固定料金制である。
【０００３】
さらに、インターネットは既存の公衆交換電話網（ＰＳＴＮ）に接続されているローカル・ゲートウェイにデータを送信するために使用することができるので、ＩＰテレフォニーは、既存の電話網に結合された従来型の固定電話との通信にも使用することができる。したがって、対象ゲートウェイ／地域へのデータの転送にはインターネットが使用されるので、長距離の呼であってもユーザは地元の電話料金を支払うだけでよい。
【０００４】
インターネットにアクセスする人数が増え、かつ／またはネットワーク接続される人数が増え、またインターネットおよび／または他のネットワークに関する固定料金の供給、無料ソリューション、常時ソリューション、および広帯域ソリューションが増えるに従って、このようなＩＰテレフォニー・システム／ソリューションがより関心を集めるようになることは明白である。
【０００５】
特許公開ＷＯ　００／５１３７５号は、デュアルモード・デバイスがＩＰ　ＬＡＮ／ネットワーク上で携帯電話通信と電話通信の両方の能力を有する通信システムを開示している。このデュアルモード・デバイスは、ＬＡＮ／ネットワークに直接的に接続するケーブルまたは無線ＬＡＮ／ネットワークとの無線通信で無線通信装置に接続するケーブルを介してＬＡＮ／ネットワークに接続する。このデュアルモード・デバイスが使用される際にはケーブルが使用されていてユーザの移動が制限されること、また、無線ＬＡＮ／ネットワークの場合には接続ポイントに特別な設備を必要とすることから、ＬＡＮ／ネットワークへの接続の確立は煩雑である。
さらに、両方の通信形式をサポートすることによってデュアルモード・デバイスは複雑化し、比較的大きな電力使用量を要する、より経費の掛かる設計となる。
【０００６】
特許公開ＷＯ　９８／５７５０８は、基地局に接続されたデジタル無線電話などのＤＥＣＴ端末および基地局を介した無線通信のためのシステムに関する。このシステムは、所与のＤＥＣＴ端末が置かれている基地局で呼を受信するように、様々な基地局（ＤＥＣＴアイランド）間でインターネットを介してデジタル音声情報を伝えるためにＩＰプロトコルを使用する。これによって、端末を別の基地局で使用することができ、機動性が向上する。
一意でなければならないＩＰアドレスをＤＥＣＴ端末自体が知ることのないように、ゲートウェイ（ＧＷ）がＤＥＣＴ基地局へのインターフェース自体を構成し、電話番号からＩＰアドレスへの変換を扱う。さらに、通信を確立するためには、１つ以上のＤＥＣＴ端末が認識され、特定され、かつ／または事前に基地局と組み合わされなければならない。
【０００７】
特許公開ＷＯ　９９／３８３１１は、インターネットを介したテレフォニーに端末を使用することができるようにするために、１つまたは複数の端末とインターネット・プロトコル（ＩＰ）／インターネット電話システムとの間の無線ＲＦ（無線周波数）インターフェースを提供するシステムおよび対応する方法に関する。このシステムは、様々な端末に対する情報の分配を部分的に扱い、かつ制御し、またインターネットへのアクセスを部分的に扱う基地局を使用する。すなわち、この基地局は、殊にインターネットとの接続での関連するプロトコルを制御し／含んでいる。
さらに、所与の基地局に関連付けられた端末を別の基地局との接続に直ちに使用することはできない。これは、正確な情報が正確な端末によって受信／送信されるように、通信に使用する端末の一意の周波数および／またはジャンプ周波数を各端末に割り当てるために基地局が多数の端末を認識しておかなければならなくなるからである。
【０００８】
上記２つのシステムはどちらも、特別な種類の設備（基地局、ゲートウェイ等）を必要とするという欠点を有する。これは、端末を使用することが予想されるあらゆる場所にその特別な設備を物理的に配置しなければならないので、機動性および機能の更新／拡張に関する柔軟性において大きな障壁となる。
【０００９】
本発明の目的は、デジタル化された音声、サウンド、音楽等を表す情報／データを転送するためにネットワークおよび／またはインターネットを使用する通信端末を提供することである。
本発明の別の目的は、ネットワークおよび／またはインターネットとの無線通信／接続に関する柔軟性を高める通信端末を提供することである。
本発明のさらに別の目的は、ネットワークおよび／またはインターネットへの接続を提供するために特別の設備および機能を必要としない通信端末を提供することである。
本発明のさらにまた別の目的は、機能に関する柔軟性を可能にすることである。
また別の目的は、比較的単純な設計、小さいサイズ、および比較的低電力消費／減電力消費を可能にする通信端末を提供することである。
【００１０】
これらの目的は、他の目的の中でも特に、インターネット／ネットワーク・テレフォニーのための電子携帯通信端末において、
・第１の電気信号に基づいてサウンドを再生し、第２の電気信号をもたらすサウンドを記録するように構成されたオーディオ手段と、
・前記第２の電気信号を、適切なデータ形式の、送信するためのサウンドを表す送信データに変換し、前記適切なデータ形式の、受信したサウンドを表す受信データを前記第１の電気信号に変換するように構成された変換手段と、
・ＴＣＰ／ＩＰなどの標準的なインターネット／ネットワーク・プロトコルに従って前記受信データおよび送信データの通信を扱い、制御するように構成されたプロトコル手段であって、それによって前記送信データおよび受信データをそれぞれデータ・パケット形式に埋め込み、データ・パケット形式から抽出するプロトコル手段と
を備える端末であって、
・前記標準的なインターネット／ネットワーク・プロトコルに従ってネットワークおよび／またはインターネットへの接続を確立するように構成された接続ユニットを有する、無線データ形式の前記受信データおよび／または送信データの無線近距離通信のための無線通信手段において、
・前記データ・パケット形式のパケットを前記無線データ形式に埋め込み、前記無線データ形式から抽出するようにさらに構成されている無線通信手段をさらに備える端末によって達成される。
【００１１】
携帯通信端末は、多大な経済的利点を提供するネットワークまたはインターネットを介したテレフォニーを提供する本発明によって達成される。
この通信端末は、関連するネットワークへの接続を確立する接続ユニットへの無線接続を確立する。
【００１２】
さらに、ＴＣＰ／ＩＰプロトコルなどの標準的インターネット／ネットワーク・プロトコルに従ってデータ・パケットを独立して制御し、伝えることができる通信端末が提供される。これによって、所与のネットワークおよび／またはインターネットへの接続を確立することを可能にすることだけが要求される単純化された標準的な設備を使用することができる。この無線接続は、データ・パケットを適切な方法で接続ユニットに転送するために使用されるだけである。
【００１３】
このようにして、本発明による端末は、ネットワークおよび／またはインターネット接続のセットアップを可能にする標準的な設備の付近にあるだけで、インターネット・テレフォニーに使用することができる。構成が大幅に簡略化され、ある種の無線プロトコルではこれを自動的に実現できるので、ＩＰプロトコルをローカルに扱うことによって「異種の」接続ユニットと接続したその端末を使用することがさらに容易になる。
【００１４】
所与のセッション（すなわち、通信）に対する有効なＩＰアドレスを通信端末に割り当てることができるので、プロトコル手段を介した有用なＩＰアドレスの動的割り当てのオプションがさらに提供される。この結果、プロトコル手段が端末自体に内蔵されており、無線接続を確立する接続ユニットによって割り当てが行われるので、さらに優れた機動性が得られる。ユーザは、インターネット／ネットワークへのアクセスがある限り、その具体的な位置とは関係なく呼を受信し、送信することができる。
【００１５】
さらに、中央データベースが一意の固定されたアドレスを端末のユーザに関係付けること等、すなわちローカルな一意のアドレスが一時的なＩＰアドレスに関係付けること等ができるので、複数端末の扱いと機能は確実に非常に容易になる。ローカルな一意のアドレスには、Ｂｌｕｅｔｏｏｔｈプロトコルで使用される一意の４８ビットのアドレス、電話番号等がある。
【００１６】
さらに、近距離通信のための通信手段だけがそこにあればよく、携帯電話手段等のこの他の通信手段は必要としないので、複雑性と電力消費が比較的低く抑えられ、比較的小さいサイズの端末が実現し、その結果、端末はユーザが身につけ、かつ／または携帯するのに非常に適したものになる。
【００１７】
無線データ形式はＢｌｕｅｔｏｏｔｈデータ形式であることが好ましい。
【００１８】
好ましい実施形態では、前記端末は、付加的な情報および／またはデータを前記接続ユニットに伝えるように構成されており、前記付加的な情報および／またはデータは、
・通信受信機のＩＰアドレス
・通信送信機／前記端末のＩＰアドレス
・少なくとも１つの接続ユニットのＩＰアドレス
・サービス・サーバのＩＰアドレス
・ＴＣＰ／ＩＰパケット
・音声メール
・コマーシャル
・音楽
・市況および経済ニュース
・チャット・ライン
・チャット・ルーム
・電話会議
の１つまたは複数を含む端末である。
【００１９】
この方法で、送信音声情報と一緒に関連情報を送信することができる。これによって、ユーザ・プロファイルによって任意選択で様々な機能を提供することができる。
【００２０】
好ましい実施形態では、前記端末は、所望の通信受信機に関する情報を前記ネットワークおよび／またはインターネット上のサービス・サーバに転送できるように、前記接続ユニットを介して前記サーバへの接続を確立するように構成されている端末であって、前記サーバが、前記所望の通信受信機のＩＰアドレスに関する情報を伝え、かつ／または前記所望の通信受信機と通信送信機／前記端末との間に直接接続を提供するように構成されている端末である。
【００２１】
本発明により、中央サーバはどの端末がどこでアクセス可能であるかを把握しておくことができ、その結果、発呼を希望するユーザは、交信しようとする相手先ユーザのエイリアス、ニックネーム、ＩＰアドレス等を知っておくだけでよい。
【００２２】
さらなる実施形態では、前記端末は、１つまたは複数のコマンドを識別するために、記録するための前記サウンドおよび／または前記送信データを解析し、解釈するように構成された音声認識手段を備える。
これによって、操作ボタン等を完全に排除するかまたは大幅に少なくすることができるので、端末はユーザにとって操作し易くなり、端末自体の物理的大きさを縮小することができる。
【００２３】
一実施形態では、近距離通信用の前記通信手段は、
・Ｂｌｕｅｔｏｏｔｈ、ＤＥＣＴ等のＲＦ通信プロトコル
・赤外線通信プロトコル、または
・別の無線通信プロトコル
の１つまたは複数の形式で通信するように構成されている。
【００２４】
一実施形態では、前記適切なデータ形式は圧縮データ形式である。これは、データ・パケット／デジタル情報は送信前に圧縮されるので、使用されるネットワーク／インターネット上の使用可能な帯域幅のよりよい／最適な利用を実現する。
【００２５】
好ましい実施形態では、前記端末は、前記記録するためのサウンドをユーザの頬骨および耳道の軟組織を介して取り込む手段を備えるイヤー・テレフォンである。別法として、端末は、ブーム・マイクロフォンを介してサウンドを取り込む手段を備える。
これによって、非常に独立した、コンパクトでハンドフリーの、または最小限の手動操作による物理的に小さいサイズの通信端末が実現する。本発明に関して使用することができるイヤー・テレフォンの一例は、参照により本明細書に組み込んだ欧州特許出願ＥＰ　０　６７３　５８７で開示されている。
【００２６】
別の好ましい実施形態では、端末は、変換手段、無線通信手段、およびプロトコル手段を備える筺体と、前記第１の電気信号に基づいてサウンドを再生するための手段を備える、前記筺体に固定されたイヤーピースと、一端で前記筺体に固定され、かつ他端に配置された第２の電気信号の形式で送信するためのサウンドを取り込むためのサウンド捕捉ユニットに固定されたブレースとを備えるヘッドセットである。これによって、前記端末の容易な携帯および使用が考慮され、また非常に独立した、コンパクトでハンドフリーの、または最小限の手動操作による物理的に小さいサイズの通信端末が実現する。
【００２７】
一実施形態では、前記ヘッドセットは、前記ヘッドセットをユーザの耳にかけるように構成することによってユーザの頭部に安定させ固定することのできる、前記筺体に固定された第２のブレース、スプリング、アーム等も備える。
【００２８】
本発明のさらに別の目的は、上記利点を有し、上記目的を達成するシステムを提供することである。
これはインターネット・テレフォニーのためのシステムにおいて、
・上記実施形態の１つまたは複数による携帯通信端末と、
・ネットワークおよび／またはインターネットへの接続を確立するように構成された接続ユニットと、
・インターネットおよび／またはネットワークに接続されており、潜在的な所望の通信受信機および／または送信機に関する情報を含んでいる１つまたは複数のデータベースを備えるサービス・サーバであって、所望の通信受信機のＩＰアドレスに関する情報を伝え、かつ／または前記所望の通信受信機と通信送信機／前記端末との間で直接接続を確立するように構成されたサービス・サーバと
を備えるシステムによって達成される。
【００２９】
本発明によって、中央サービス・サーバが多数のユーザ間の接続を扱い、制御することができるシステムが達成される。さらに、ユーザ・プロファイルに基づくなどしてシステムのユーザに送信することができるニュース、メールの読み出し、音声メール、コマーシャル、音楽、市況および経済ニュース等の形式でさらなる機能の選択肢が提供される。また、複数の端末／ユーザが相互に通信することができ、したがって全員の発言が全員に聞こえるチャット・ライン、チャット・ルーム、電話会議等の機能を提供することができる。
【００３０】
一実施形態では、システムはさらに、１つまたは複数のコマンドを識別するためにサウンドを表すデータを解析し解釈するように構成された音声認識手段を備える。本発明により、音声認識は、本発明による端末に音声認識を内蔵することを必要とせずに達成することができる。音声認識は比較的大きなプロセッサの電源ならびに記憶容量の資源を必要とするので、これは大きな利点である。
【００３１】
本発明のさらなる目的は、上記通信端末の実施形態によって提供されるのと同じ可能性と同じ利点を可能にする方法ならびにその実施形態を提供することである。
これは、インターネット／ネットワーク・テレフォニーのための方法において、
・第１の電気信号に基づいてサウンドを再生し、かつ第２の電気信号をもたらすサウンドを記録するステップと、
・前記第２の電気信号を、適切なデータ形式の、送信するためのサウンドを表す送信データに変換し、前記適切なデータ形式の、受信したサウンドを表す受信データを前記第１の電気信号に変換するステップと、
・ＴＣＰ／ＩＰなどの標準的なインターネット／ネットワーク・プロトコルに従って前記受信データおよび送信データによる通信を扱い／制御するステップであって、前記標準的なインターネット／ネットワーク・プロトコルに従って前記送信データおよび受信データをそれぞれデータ・パケット形式に埋め込み、またデータ・パケット形式から抽出するステップと、
を含む方法であって、
・無線データ形式による前記受信データおよび／または送信データの、前記標準的なインターネット／ネットワーク・プロトコルに従ってネットワークおよび／またはインターネットへの接続を確立するように構成された接続ユニットとの無線近距離通信と、
・前記データ・パケット形式のパケットを前記無線データ形式に埋め込み、前記無線データ形式から抽出するステップと
をさらに含む方法によって達成される。
【００３２】
一実施形態では、前記方法は、付加的な情報および／またはデータを前記接続ユニットに伝える方法であって、前記付加的な情報および／またはデータは、
・通信受信機のＩＰアドレス
・通信送信機／前記端末のＩＰアドレス
・少なくとも１つの１つの接続ユニットのＩＰアドレス
・サービス・サーバのＩＰアドレス
・ＴＣＰ／ＩＰパケット
・音声メール
・コマーシャル
・音楽
・市況および経済ニュース
・チャット・ライン
・チャット・ルーム
・電話会議
の１つまたは複数を含む方法である。
【００３３】
さらなる一実施形態では、前記方法は、所望の通信受信機に関する情報を前記ネットワークおよび／またはインターネット上のサービス・サーバに転送できるように、前記接続ユニットを介して前記サーバへの接続を確立する方法であって、前記サーバが、前記所望の通信受信機のＩＰアドレスに関する情報を伝え、かつ／または前記所望の通信受信機と通信送信機／前記端末との間の直接接続を確立するように構成されている方法である。
【００３４】
別の実施形態では、前記方法は、１つまたは複数のコマンドを識別するために、記録するための前記サウンドおよび／または前記送信データを解析し、解釈するための音声認識を含む。
【００３５】
さらに別の実施形態では、近距離通信用前記通信手段は、
・Ｂｌｕｅｔｏｏｔｈ、ＤＥＣＴ等のＲＦ通信プロトコル
・赤外線通信プロトコル、または
・別の無線通信プロトコル
の１つまたは複数の形式で通信する。
【００３６】
一実施形態では、前記適切なデータ形式は圧縮データ形式である。
【００３７】
一実施形態では、方法は、前記記録するためのサウンドをユーザの頬骨および耳道の軟組織を介して取り込む手段を備えるイヤー・テレフォンで使用される。
【００３８】
一実施形態では、方法は、変換手段、無線通信手段、およびプロトコル手段を備える筺体と、前記第１の電気信号に基づいてサウンドを再生するための手段を備える、前記筺体に固定されたイヤーピースと、一端で前記筺体に固定され、かつ他端に配置された第２の電気信号の形式の、送信するためのサウンドを取り込むためのサウンド捕捉ユニットに固定されたブレースとを備えるヘッドセットで使用される。
【００３９】
本発明は、さらに、プログラムが書き込まれたコンピュータ可読媒体であって、前記プログラムは実行されると本発明の方法をコンピュータに実行させるコンピュータ可読媒体に関係する。
【００４０】
コンピュータ可読媒体は、ＣＤ−ＲＯＭ、磁気ディスク、ＲＯＭ回路、ネットワーク接続、または一般にコンピュータ・システムに命令／コマンドがどのように実施／実行されるべきかに関する情報を提供することができる任意の他の媒体などの適切な揮発性媒体あるいは、不揮発性媒体であってよい。
【００４１】
次に、本発明を、図面を参照してより完全に説明する。
【００４２】
図１は、本発明の一実施形態による通信端末（１００）の概略的なブロック図である。図面には、ある種の拡声器、サウンド・ジェネレータ、トランスデューサなど、ならびにある種のマイクロフォン、トランスデューサまたは他のサウンド捕捉ユニットの形式などによるオーディオ手段（１０１）が概略的に示されている。
【００４３】
オーディオ手段（１０１）は、第１の電気信号形式の、音声、音楽等の受信したサウンド情報を実行／再生するために、また第２の電気信号形式の、送信するためのサウンドを取り込むためにそれぞれ使用される。
【００４４】
同様に、第２の電気信号を送信に適した適切なデジタル・サウンド形式に変換する変換手段（１０２）も示されている。変換手段（１０２）はまた、適切なデジタル・サウンド形式の受信したサウンド・データを、拡声器、サウンド・ジェネレータ、トランスデューサ等を介して再生する前に第１の電気／アナログ信号に変換する。
【００４５】
変換手段（１０２）は、アナログとデジタル・サウンドの間で変換を行うためのＡ／ＤおよびＤ／Ａコンバータおよび／またはコーデック（コーダーおよびデコーダ）を備える。コーデックが使用される場合は、送受信されるべきデータ量を大幅に低減するように、デジタル化されたデータを圧縮することができる。
適切なデジタル・サウンド形式は、例えば生データ、ＡＤＰＣＭ、ＤＴＭＦ、ＰＣＭ、Ｗａｖ、ＭＰ３および他の適切なデジタル・サウンド形式であってよく、また同時に複数の形式をサポート等することもできる。さらに、変換手段（１０２）では、例えば１つまたは複数のストリーミング・サウンド／オーディオ形式をサポートすることもできる。
【００４６】
変換手段（１０２）は、データの送受信に関するデータ／情報の扱いを提供するプロトコル手段（１０３）／プロトコル・スタックに接続されている。好適に使用されるプロトコルは、ＰＰＰ（Ｐｏｉｎｔ−ｔｏ−Ｐｏｉｎｔ　Ｐｒｏｔｏｃｏｌ）等を含めてＴＣＰ／ＩＰ（Ｔｒａｎｓｍｉｓｓｉｏｎ　Ｃｏｎｔｒｏｌ　Ｐｒｏｔｏｃｏｌ／Ｉｎｔｅｒｎｅｔ　Ｐｒｏｔｏｃｏｌ）スイートのプロトコルである。ＩＰプロトコル部分は、データ・パケットのデジタル情報の分割または収集の形式による実際のデータの扱いならびに受信機および送信機情報（ＩＰアドレス形式で）の扱いを規定し、ＴＣＰプロトコル部分は受信機と送信機の間の接続の実際の扱いを規定する。
【００４７】
プロトコル手段（１０３）は、専用マイクロプロセッサおよび／または汎用マイクロプロセッサ、論理回路等から構成されてもよい。
【００４８】
プロトコル手段（１０３）は、無線通信手段（１０４）に接続されており、無線通信手段（１０４）は、さらなる無線送信のために、プロトコル手段（１０３）からＩＰパケットの形式のデジタル化されたサウンド／データを空中線、アンテナ等（１０６）を介して受信する。通信手段（１０４）は、変換手段（１０２）およびオーディオ手段（１０１）／拡声器／サウンド・ジェネレータを介してさらに処理し再生するためにＩＰパケット形式でプロトコル手段に送信される無線データも受信する。
【００４９】
通信手段（１０４）が受信し、または送信すべき情報は、通常、適切な形式に埋め込まれている。この場合、ＩＰパケットは、これもまたパケット形式に埋め込まれる等、無線通信プロトコルに従って送信形式に埋め込まれている。
【００５０】
好ましくは、通信手段（１０４）は、Ｂｌｕｅｔｏｏｔｈ、ＤＥＣＴ、ＩＥＥＥ８０２．１１または他の無線プロトコル等に従ってＲＦ（無線周波数）接続を使用する。Ｂｌｕｅｔｏｏｔｈは低電力消費を意図して設計されているので、携帯端末の場合は特に有利である。別法として、赤外線無線通信プロトコルを使用することもできる。
【００５１】
通信端末（１００）は、様々な部分を制御し調整するためのＣＰＵ、マイクロプロセッサ等の演算／処理ユニットも備える。マイクロプロセッサ（１０５）は、関連情報を記憶し提供するために、ＲＡＭ、Ｆｌａｓｈ、ＲＯＭ等の１つまたは複数のメモリ素子（図示せず）に接続されることが好ましい。別の実施形態では、マイクロプロセッサ（１０５）およびプロトコル手段（１０３）は単一のマイクロプロセッサ・ユニットに含まれる。
【００５２】
端末（１００）は取り扱い／制御用のプロトコル手段（１０３）を含んでいるので、単純化された標準的接続／結合設備を使用することが可能になる。これは、所与のネットワークおよび／またはインターネットへの接続を確立することを可能にすることだけが要求される。また、構成が大幅に簡略化され、ある種の無線プロトコルではこれを自動的に実現できるので、ＩＰプロトコルをローカルに扱うことによって「異種の」接続ユニットと接続したその端末（１００）を使用することがさらに容易になる。端末に同一のＲＦ通信システムと、インターネット／ネットワークへのアクセス権を有する接続／結合設備が内蔵されているだけでよい。
【００５３】
別の実施形態では、端末（１００）は、音声コマンドの場合に端末（１００）をハンドフリーで操作することができるように、マイクロプロセッサ（１５）を介して実施され、かつ／または専用ハードウェアを介して実施されるなどの音声認識手段も備える。さらに／あるいは、端末は、ボタン、スイッチ等の１つまたは複数の操作手段を備える。
端末（１００）は、１つまたは複数のバッテリ等のエネルギー源／電源（図示せず）も備える。
【００５４】
図２ａは、２つの通信端末（２００、２００’）と１つのサービス・サーバが示される本発明によるシステムを示す。図面は、二人のユーザ（２０１、２０１’）が本発明による通信端末（２００、２００’）を介してどのように相互接続されるかを示している。
端末（２００、２００’）は、どちらもイヤー・テレフォン形式による好ましい実施形態として図２ａに示されているが、後で図４を参照してより十分に説明する。
【００５５】
端末（２００、２００’）の別の好ましい実施形態を、後で図５を参照して説明する。
【００５６】
図面では、分かり易くするために二人のユーザ（２０１、２０１’）だけを示すが、実際には一度により多数のユーザがシステムに接続されることになろう。
【００５７】
各端末（２００、２００’）はインターネット（２２０）および／または企業内、家庭内等のローカル・ネットワークまたはイントラネット等の他のネットワークに接続ユニット（２０２、２０２’）を介して接続されている。接続ユニット（２０２、２０２’）には、所与の接続ユニット（２０２、２０２’）と所与の端末（２００、２００’）の間で無線通信リンクが確立されるように、Ｂｌｕｅｔｏｏｔｈモジュールなどの無線通信モジュール／トランシーバ（２０３、２０３’）が装備されている。
複数のユーザ（２０１、２０１’）は、同一の無線通信モジュール／同一のトランシーバ（２０３、２０３’）にも接続されていてよい。
接続ユニット（２０２、２０２’）は、インターネット接続、好適には広帯域接続を有する標準的なコンピュータ、ＰＤＡ、携帯電話等であってよい。
【００５８】
システムは、インターネット／ネットワーク（２２０）にも接続されている１つまたは複数のサービス・サーバ（２１０）をさらに備える。サービス・サーバ（２１０）は、システムのユーザ（２０１、２０１’）に関する関連情報が保存されている１つまたは複数のデータベース（２１１）を備える。
【００５９】
データベース（２１１）は、ユーザ（２０１、２０１’）ごとの１つまたは複数のユーザのエイリアスおよび関連付けられた現在のＩＰアドレス等の情報を含んでいる。ユーザ（２０１、２０１’）がシステムに接続するたびにＩＰアドレスがユーザ（あるいは端末（２００、２００’））に割り当てられる場合、ＩＰアドレスは、静的（例えば、ユーザ（２０１、２０１’）が企業ネットワークに接続されている場合）であっても動的であってもよい。
したがってサーバは、どの端末（２００、２００’）／ユーザ（２０１、２０１’）がどこでアクセス可能かを把握することができる。
【００６０】
サービス・サーバ（２１０）は、交信を希望したユーザ（２０１、２０１’）の間で接続を確立する少なくとも１つのルータ（２１２）をさらに備える。
サービス・サーバ（２１０）は、ユーザ・プロファイルに従うなどしてシステムのユーザ（２０１、２０１’）に送信することができるニュース、メールの読み出し、音声メール、コマーシャル、音楽、市況および経済ニュース等のさらなるサービス、機能等に役立てるために使用することもできる。
【００６１】
全員の発言が全員に聞こえるように相互に通信する機会が複数の端末（２００、２００’）／ユーザ（２０１、２０１’）に提供される場合、サーバ（２１０）が提供することのできるさらなる機能には、チャット・ライン、チャット・ルーム、電話会議等がある。
【００６２】
別の／さらなる選択肢は、交信しないことを希望する人物の「ネガティブ・リスト」がユーザ・プロファイルに含まれるというものである。
例えば第１のユーザ（２０１）が第２のユーザ（２０１’）に話しかけることを希望する時、第１のユーザ（２０１）がこのことを携帯通信端末（２００）上に示すという点でこのシステムは動作する。この指示は、第２のユーザ（２０１’）のエイリアス、ＩＰアドレス等のキーパッド入力、音声コマンド等によって行うことができる。
【００６３】
端末（２００）は、ユーザ（２０１’）のエイリアスが送信される等の場合、無線接続を介したトランシーバ（２０３）、接続ユニット（２０２）およびインターネット（２２０）への接続を確立する。サーバ（２１０）は、転送されたエイリアスを有する第２のユーザ（２０１’）がアクセス可能／オンラインかどうかを確認し、アクセス可能／オンラインならば、第２のユーザ（２０１’）の現在のＩＰアドレスを得る。次いで、第１のユーザ（２０１）と第２のユーザ（２０１’）の間にルータ（２１２）を介した相互接続が確立される。
【００６４】
別法として、第２のユーザ（２０１’）の現在のＩＰアドレスを第１のユーザ（２０１）の端末（２００）に返信することができ、これによって端末（２００）と（２００’）の間で直接的な相互接続を確立することができる。
接続の確立後、図１を参照して説明したように、二人のユーザ（２０１、２０１’）の間で音声をＩＰパケットで適切なデジタル形式により転送するためにインターネット（２２０）が使用される。
【００６５】
端末（２００、２００’）および／またはサービス・サーバ（２１０）が音声認識をサポートしている場合、端末（２００、２００’）の操作は単純化することができ、サービス・サーバに関する特定のコマンドを、ここでの解釈のため、または１つまたは複数のバイナリ・コマンド、クエリ等としてサーバ（２１０）に伝えることができる。
【００６６】
別法として、接続ユニット（２０２、２０２’）は、ＢｌｕｅｔｏｏｔｈまたはＤＥＣＴ機能を備える広帯域接続または他の適切な無線接続等を介してインターネット（２２０）に接続するように構成された移動電話であってよい。インターネット（２２０）を介して長距離トラフィックが行われる場合、ユーザ（２０１、２０１’）には、本発明によってより優れた機動性と、さらにはＩＰテレフォニーの経済的節約が与えられる。移動電話は、ＧＳＭ、ＧＰＲＳ等の種類であっても、別の適切な種類であってもよい。
【００６７】
図２ｂは、別の種類の接続ユニットが示される本発明によるシステムを示している。この図面は図２ａに一致しているが、第２のユーザ（２０１’）の接続ユニットがゲートウェイ（２３０）によって形成されている点が異なっている。ゲートウェイ（２３０）は、複数の端末（２００、２００’）／ユーザ（２０１、２０１’）に、ローカル・ネットワーク内、イントラネット内、家庭内、集合住宅の１区画内等で結合する可能性を提供する。
【００６８】
別法として、ゲートウェイ（２３０）は、冷蔵庫、ケーブルまたは人工衛星を介するなどしたテレビジョン、またはインターネットへのアクセスの可能性を提供する他の家庭用装置に提供／内蔵することができる。好ましくは、広帯域可能性を有するゲートウェイ（２３０）がＩＳＤＮ、ＡＤＳＬ、Ｆｒａｍｅ　Ｒｅｌａｙ、ｘＤＳＬ等を介して使用される。
【００６９】
図２ｃは、従来型電話網（ＰＳＴＮ）に結合したユーザが示される本発明によるシステムを示している。この図面は、図２ａおよび２ｂと一致しているが、第２のユーザ（２０１’）の接続ユニットが、ユーザ（２０１’）の通常の標準的電話（２４１）に結合されるＰＳＴＮインターフェース／ゲートウェイ（２４０）によって形成されているという点で異なっている。本発明により、従来型電話網のユーザに連絡を取ることもできる。
【００７０】
図３ａは、本発明による方法の一実施形態のフローチャートである。
ステップ（３０１）で、イヤー・テレフォン、ヘッドセット等の通信端末と、インターネットへの接続または別のネットワークへの接続を確立する可能性を提供するコンピュータ、移動電話、インターネット・アクセス・ポイント、ＰＤＡ等の接続ユニットとの間で無線接続が確立される。
【００７１】
ステップ（３０２）で、端末は、接続ユニットを介してインターネット／ネットワークに結合されているサービス・サーバに、ユーザのアイデンティティに関して（エイリアス等）、ユーザがオンラインかどうかに関して（呼への応答を可能にしておくことを希望しているかどうか）、端末と連絡を取ることができる物理的ＩＰアドレスに関して、ＴＣＰ／ＩＰプロトコルを使用して情報を送信する。この情報は、サーバの１つまたは複数のデータベースに記憶／更新される。
【００７２】
次いで、ユーザ・プロファイルに従った任意選択で、サーバは、ニュース、メールの読み出し、音声メール、コマーシャル、音楽、市況および経済ニュース等のデータおよび情報をユーザに送信することができる。
【００７３】
ステップ（３０３）で、ユーザが別のユーザと交信することを希望しているかどうかに関して確認が行われる。
希望している場合、ステップ（３０４）で、交信することを希望する相手先ユーザのエイリアス等を含む要求がサーバに送られる。サービス・サーバは、このエイリアスを有するユーザが存在するかどうか、当事者がオンラインかどうか、オンラインならばどの物理的ＩＰアドレスでこの相手先ユーザに連絡を取ることができるかを確認する。
希望されない場合、アイドル・モードに戻り、割り込み、ポーリング等によって現在のところチェック（３０３）が実行されている。アイドル・モードでは他の機能を実行することができる。
【００７４】
ステップ（３０５）で第１と第２のユーザの間に接続が確立され、次いで実際の会話を開始することができる。接続は、サービス・サーバを介するか、または直接的なＴＣＰ／ＩＰ接続であることが好ましい。接続が直接の場合、二人の会話の参加者間に新しい／別のＴＣＰ／ＩＰ接続を確立しなければならいが、接続がサーバを介している場合、ステップ（３０１）で確立されたＴＣＰ／ＩＰ接続を使用することができる。
【００７５】
ステップ（３０６）から（３０８）で、第２のユーザから受信したデータが扱われ、再生されるが、サウンドの記録および第２のユーザへのそのサウンドの送信はステップ（３０９）から（３１１）で行われる。これらのステップは、マルチプレクシング等によって、同時／平行に、または交互に実行することができる。
【００７６】
ステップ（３０６）で、データはＩＰパケットの形式で無線インターフェースを介して受信される。ＩＰパケットに埋め込まれたサウンド・データ／情報は、ステップ（３０７）でＤ／Ａコンバータ、コーデック等によって第１のアナログ・サウンド信号に変換され、次いでステップ（３０８）でその信号は、拡声器、サウンド・ジェネレータ等を介してユーザに対して再生／実行される。
【００７７】
ステップ（３０９）で、サウンドはマイクロフォン、トランスデューサ等によって第２の電気信号の形式で取り込まれ、ステップ（３１０）でこの信号はＡ／Ｄコンバータ、コーデック等を介してデジタル信号に変換される。このデジタル信号の情報はＲＦ変調されたＴＣＰ／ＩＰプロトコル手段によって分割され、ＩＰパケットに埋め込まれる（例えば、ＩＰパケットは、無線／ＲＦ通信手段によって使用されるＲＦプロトコルに従ってパケットに変換され／埋め込まれる）。次いでそのパケットはトランシーバを介して第２の会話パートナーに送信される。ここでこのトランシーバは、ＲＦパケットを受信し、ＩＰパケットを抽出し、抽出されたＩＰパケットをインターネット／ネットワークを介して第２の会話パートナーに送信する。
【００７８】
これらのステップ（３０６〜３０８、３０９〜３１１）は、会話が終了するまで反復される。
【００７９】
会話が終了したことはステップ（３１２）で確認されるが、その会話終了後、システムはステップ（３０３）でアイドル・モードに戻り、新しい呼（着信または発信）が発生するまで待機する。
【００８０】
図３ｂに示される呼を受信するステップは、着呼が検出され、ユーザがその呼を受諾するか拒否するかの選択肢を有する図３ａのステップに類似している。呼が受諾された場合、発呼者と受信者の間のＴＣＰ／ＩＰ接続は、直接的に、またはサービス・サーバを介して確立され、（３０６〜３１１）等のステップが実行される。呼が拒否された場合、端末はアイドル・モードに戻る。好ましくは、方法は、ステップ（３０１〜３０２）、着呼および／または発呼が検出されたかどうかのテスト（３０３）、発呼の場合にはステップ（３０４）だけが実行されるステップ（３０４〜３１２）を含む。
【００８１】
図４は、本発明による通信端末の好ましい実施形態を示す。イヤー・テレフォン（４００）が図面に示されている。イヤー・テレフォン（４００）は、成型されることが好ましく、またユーザの耳に合わせて個別に製造することができる。上記のように無線通信手段（図示せず）を介して受信したサウンド情報を再生するために使用される拡声器などのサウンド・ジェネレータ（４０１）が示されている。ある種のマイクロフォン、トランスデューサ、または第２の電気信号のサウンド捕捉および生成のためのゴム皮膜（４０２）を有する他のサウンド捕捉ユニット（一部図示）も示されている。
【００８２】
イヤー・テレフォンの機能は、図１に関して説明した端末とシステムに一致している。
これによって、非常に独立した、コンパクトでハンドフリーの、または最小限の手動操作による、５〜８ｃｍ３などの小さい物理的サイズの通信端末が実現される。
【００８３】
別法として、無線通信手段は、イヤー・テレフォン（４００）自体の外部に配置することができ、ベルトの中など、ユーザの身体に固定することができる筺体内に配置することなどができる。この場合、筺体とイヤー・テレフォンは電線または他の無線通信手段などを介して接続されるだけである。これは、接続ユニットと通信するための無線通信手段よりも狭い領域しか必要とせず、従って物理的サイズはより小さく、電力消費量はより小さくするなどが可能である。
【００８４】
イヤー・テレフォンの実施例のさらなる詳細に関しては、欧州特許出願ＥＰ　０　６７３　５８７等を参照する。
【００８５】
図５は、本発明による通信端末の別の好ましい実施形態の透視図を示す。マイクロフォン、トランスデューサ、または、第２の電気信号形式の、送信するためのサウンドを取り込むための他のサウンド捕捉ユニット（５０５）を備える非常にコンパクトなヘッドセット（５００）であって、サウンド捕捉ユニットをユーザの口のそばに都合よく配置することができるように、サウンド捕捉ユニット（５０５）がブレース、アーム、ブーム等（５０４）の一端に配置されているヘッドセット（５００）が示されている。ブレース、アーム、ブーム等（５０４）の他端は、図１に関して説明した電子素子／部品（オーディオ手段を除く）を備える、好適には防水の容器、筺体等（５０２）に固定されている。
【００８６】
ブレース、スプリング、アーム等（５０１）はまた、ユーザの頭部にヘッドセット（５００）を安定させ固定するために使用することができる筺体（５０２）に固定されているように示されている。
【００８７】
ヘッドセット（５００）は、無線通信のために使用される空中線、アンテナ等（図示せず）と、呼を受諾／拒否するためなどに使用される１つまたは複数のボタン、スイッチ等の操作手段（５０６）も備える。空中線は、筺体（５０２）の中に配置されたインターン空中線であってよい。別法として、ブレース、アーム、ブーム等（５０４）は空中線を構成してよい。
【００８８】
筺体（５０２）に固定されているのは、ユーザの耳に合わせて個別に成型し製造することができ、ユーザの耳に差し込まれるべきイヤーピース（５０３）である。イヤーピースは、受信したサウンドをユーザの耳の中で再生するためのサウンド・ジェネレータ等を備える。
【００８９】
本発明により、非常に独立した、コンパクトでハンドフリーの、または最小限の手動操作による、小さい物理的サイズの通信端末が得られる。
【図面の簡単な説明】
【図１】
本発明の一実施形態による通信端末の概略的なブロック図である。
【図２ａ】
２つの通信端末と１つのサービス・サーバが示される本発明によるシステムを示す図である。
【図２ｂ】
別の種類の接続ユニットが示される本発明によるシステムを示す図である。
【図２ｃ】
従来型電話網（ＰＳＴＮ）に接続したユーザが示される本発明によるシステムを示す図である。
【図３ａ】
本発明による方法の一実施形態のフローチャートである。
【図３ｂ】
本発明による方法の一実施形態のフローチャートである。
【図４】
本発明による通信端末の好ましい実施形態を示す図である。
【図５】
本発明による通信端末の別の好ましい実施形態の透視図である。
【図１】
2004507979.tif 000003
【図２ａ】
2004507979.tif 000004
【図２ｂ】
2004507979.tif 000005
【図２ｃ】
2004507979.tif 000006
【図３ａ】
2004507979.tif 000007
【図３ｂ】
2004507979.tif 000008
【図４】
2004507979.tif 000009
【図５】
2004507979.tif 000010
【国際公開パンフレット】
2004507979.tif 000011
2004507979.tif 000012
2004507979.tif 000013
2004507979.tif 000014
2004507979.tif 000015
2004507979.tif 000016
2004507979.tif 000017
2004507979.tif 000018
2004507979.tif 000019
2004507979.tif 000020
2004507979.tif 000021
2004507979.tif 000022
2004507979.tif 000023
2004507979.tif 000024
2004507979.tif 000025
2004507979.tif 000026
2004507979.tif 000027
2004507979.tif 000028
2004507979.tif 000029
2004507979.tif 000030
2004507979.tif 000031
2004507979.tif 000032
2004507979.tif 000033
2004507979.tif 000034
2004507979.tif 000035
2004507979.tif 000036
2004507979.tif 000037
2004507979.tif 000038
2004507979.tif 000039
2004507979.tif 000040
2004507979.tif 000041
2004507979.tif 000042
2004507979.tif 000043
2004507979.tif 000044
2004507979.tif 000045
2004507979.tif 000046
2004507979.tif 000047
2004507979.tif 000048
2004507979.tif 000049
2004507979.tif 000050
2004507979.tif 000051
2004507979.tif 000052
2004507979.tif 000053
【国際公開パンフレット（コレクトバージョン）】
2004507979.tif 000054
2004507979.tif 000055
【国際調査報告】
2004507979.tif 000056
2004507979.tif 000057
2004507979.tif 000058